(57)【要約】【課題】被取付ボードの肉厚寸法に対してある程度の汎用性を持たせられるものとして低コスト化等を図り、また被取付ボードにおける肉厚方向の膨張や収縮にも追従できるものとして、殊にプレートにおける長寿命化等を図れるようにする。【解決手段】一方のプレート５に設けられる雄部材７と他方のプレート６に上記雄部材７に対向して設けられる雌部材８とを有し、前記雄部材７と雌部材８とは、相互接近方向へ押し込むことで離反不可能状態に係合しいずれか一方の部材を回動させることで上記係合を解除して離反可能に構成され、雄部材７又は雌部材８の一方は、対応するプレート５又はプレート６に、突出長さの異なる他の雄部材７又は雌部材８と交換可能になるように、着脱自在に取り付けられている。【選択図】　　　図２
2004092061.tif 000002
【特許請求の範囲】
【請求項１】
被取付ボード（２）を挟んで一対のプレート（５，６）を取り付けるための組プレートの取付装置であって、
一方のプレート（５）に設けられる雄部材（７）と他方のプレート（６）に上記雄部材（７）に対向して設けられる雌部材（８）とを有しており、
前記雄部材（７）と雌部材（８）とは、相互接近方向へ押し込むことで離反不可能状態に係合しいずれか一方の部材を回動させることで上記係合を解除して離反可能に構成され、
前記雄部材（７）又は雌部材（８）の一方は、対応するプレート（５，６）に、着脱自在に取り付けられていることを特徴とする組プレートの取付装置。
【請求項２】
前記雄部材（７）又は雌部材（８）の一方の基端側に、挿通軸部（７１）が設けられると共に、挿通軸部（７１）から外周方向に突出した係合部（７２）が設けられ、対応するプレート（５，６）に、前記挿通軸部（７１）が挿入される挿通孔（７５）が設けられると共に、挿通孔（７５）の外周に、前記係合部（７７）が挿通可能な挿通溝（７６）と、挿通軸部（７１）が挿通孔（７５）から抜け脱不能になるように前記係合部（７２）が係合する係止部（７７）とが、設けられ、
前記係合部（７２）を挿通溝（７６）に一致させて挿通軸部（７１）を挿通孔（７５）に挿通し、雄部材（７）又は雌部材（８）の一方を、挿通軸部（７１）廻りに回動することにより、係合部（７２）を係止部（７７）に係止させて、前記雄部材（７）又は雌部材（８）の一方が、対応するプレート（５，６）に、突出長さの異なる他の雄部材（７）又は雌部材（８）と交換可能になるように、着脱自在に取り付けられていることを特徴とする請求項１に記載の組プレートの取付装置。
【請求項３】
前記雄部材（７）は、雌部材（８）へ向けて突出する本体軸部（１２）と、該本体軸部（１２）の突端部からその軸心に直交する向きで相反方向へ張り出す一対の外爪部（１３）とを有しており、前記雌部材（８）は、雄部材（７）へ向けて二股状態で突出する本体軸部（２０）と、該本体軸部（２０）の突端部で雄部材（７）の各外爪部（１３）に抱き込み状に係合する方向で相対向して張り出す一対の内爪部（２１）とを有していることを特徴とする請求項１に記載の組プレートの取付装置。
【請求項４】
前記雄部材（７）又は雌部材（８）の他方が、相手側部材へ向けて進退自在に保持されていると共に、当該部材は相手側部材に対して被取付ボード（２）を介して係合し得る位置を含んでそこから遠ざかる方向へ向けて弾性力により付勢されていることを特徴とする請求項１〜３のいずれかに記載の組プレートの取付装置。
【請求項５】
前記プレート（５，６）が、ドアハンドル（３）の取付座であることを特徴とする請求項１〜４のいずれかに記載の組プレートの取付装置。
【発明の詳細な説明】
【０００１】
【発明の属する技術分野】
本発明は、組プレートの取付装置に関するものである。
【０００２】
【従来の技術】
ドアに設けられるドアハンドルには、その根本まわりのドア面を覆うように取付座を付設する。そしてこの取付座は、ドアの表裏両側に対称配置で２枚１組として取り付けることになる（例えば特開２０００−１４５２１４号公報、特開平９−２５０２５８号公報、特開平７−３１０４６５号公報等参照）。
なお、この取付座は、ドアハンドルを含めた錠装置の取り付けに実質的に使用されるものもあれば、もっぱら化粧材或いはカバー材としての作用で使用されるものもある。
【０００３】
このような２枚１組の取付座として使用される組プレート（以下、取付座を「プレート」とおき、ドアを「被取付ボード」とおいて説明する）において、被取付ボードを介した両側で一対のプレートを結合するには、一方のプレートから他方のプレートへネジを差し込み螺合する構造（上記特開２０００−１４５２１４号公報等）とか、一方のプレートに軸を突出させ他方のプレートに筒を突出させて軸と筒とを圧入止め（摩擦止め）状態にさせる構造（上記特開平９−２５０２５８号公報、特開平７−３１０４６５号公報等）とかが主流になっている。
【０００４】
【発明が解決しようとする課題】
被取付ボードには種々様々な肉厚のものがある。
そのため組プレートとしては、プレート相互の結合構造としてネジを用いるものであればネジ長さの異なるセットを複数種、準備しておく必要があるし、また軸と筒とによる圧入構造を採用したものでは、軸や筒の長さが異なるセットを複数種、準備しておく必要がある。
従って、製造、流通、管理、販売等に関して煩雑となり、あらゆる意味で高コスト化を招来するものであった。
【０００５】
また、被取付ボードが木製である場合、その肉厚寸法には誤差として±１ｍｍ程度は生じているものであるし、そのうえ温度や湿度の影響で、肉厚方向への膨張や収縮も起こる。
これに対して、プレート相互の結合状態は、上記したいずれの構造を採用するにしても遊びのない状態に結合するものとなっているため、経年的に、被取付ボードに肉厚方向の膨張・収縮が生じた場合には、被取付ボードに対してプレートの取付状態にガタが発生したり、例えばネジの締め込み位置まわりに小さなクラックが発生したりすることがあった。
【０００６】
更に、プレート相互の結合構造としてネジを用いるものであれば、ネジの締め込みが面倒であるということがあるし、また軸と筒とによる圧入構造を採用したものでは、被取付ボードに対して設ける軸及び筒用の挿通孔を筒外径にピッタリと一致した孔径にしなければならないため、被取付ボードに対する高精度な加工を要求され、やはり手間になるということがあった。
すなわち、被取付ボードに対するプレートの取り付けが面倒で、この点でも高コスト化を招来するということがあった。
【０００７】
本発明は、上記事情に鑑みてなされたものであって、被取付ボードの肉厚寸法に対してある程度の汎用性を持たせられるものとして低コスト化等を図り、また被取付ボードにおける肉厚方向の膨張や収縮にも追従できるものとして、殊にプレートにおける長寿命化等を図り、更に被取付ボードに対する取付容易性を図れるようにした組プレートの取付装置を提供することを目的とする。
【０００８】
【課題を解決するための手段】
前記目的を達成するために、本発明は次の手段を講じた。
即ち、本発明に係る組プレートの取付装置は、被取付ボードを挟んで対称配置で一対のプレートを取り付けるためのものであって、一方のプレートに設けられる雄部材と、他方のプレートに上記雄部材に対向して設けられる雌部材とを有している。
そして、上記雄部材と雌部材とは、そのうち少なくとも一方を相互接近方向へ押し込むことで離反不可能状態に係合するものであって、且つ、この係合状態からいずれか一方の部材を回動させることで上記係合を解除して離反可能になっている。
【０００９】
このような構成であると、雄部材を有したプレートと、雌部材を有したプレートとを対向接近させ、雄部材と雌部材とを互いに突き合わせるようにするだけでこれら両部材を係合できるものであるので、互いの結合がいとも簡単に行える。
従って、雄部材と雌部材とを結合させる部分に貫通孔を有する被取付ボードに対し、その表裏両側からプレートを被取付ボードに対して押しつけるようにするだけで、両プレートの取り付けができるものである。
また、被取付ボードからプレートを外す必要（両プレートの結合を解除する必要）が生じた場合には、雄部材又は雌部材の少なくとも一方を、例えば９０°程度回動させれば、これら雄部材と雌部材との結合状態は解除されるようになっているので、被取付ボードからのプレートの取り外しも極めて簡単である。
【００１０】
雄部材は、雌部材へ向けて突出する本体軸部と、この本体軸部の突端部からその軸心に直交する向きで相反方向へ張り出す一対の外爪部とを有したものとするのが好適である。
これに対して雌部材は、雄部材へ向けて二股状態で突出する本体軸部と、この本体軸部の突端部で雄部材の各外爪部に抱き込み状に係合する方向で相対向して張り出す一対の内爪部とを有したものとするのが好適である。
また、雄部材又は雌部材の一方は、対応するプレートに、突出長さの異なる他の雄部材又は雌部材と交換可能になるように、着脱自在に取り付けられているので、突出長さの異なる雄部材又は雌部材と容易に交換することができて、被取付ボードの肉厚寸法に合わせて、一対のプレートの離間幅を調整することができ、このような構成を付加することで、被取付ボードの肉厚寸法に対して十分な汎用性を持たせることができる。
【００１１】
この場合、前記雄部材又は雌部材の一方の基端側に、挿通軸部が設けられると共に、挿通軸部から外周方向に突出した係合部が設けられ、対応するプレートに、前記挿通軸部が挿入される挿通孔が設けられると共に、挿通孔の外周に、前記係合部が挿通可能な挿通溝と、挿通軸部が挿通孔から抜け脱不能になるように前記係合部が係合する係止部とが、設けられ、
前記係合部を挿通溝に一致させて挿通軸部を挿通孔に挿通し、雄部材又は雌部材の一方を、挿通軸部廻りに回動することにより、係合部を係止部に係止させて、前記雄部材又は雌部材の一方が、対応するプレートに、着脱自在に取り付けられるように構成されていることが好ましい。
【００１２】
雄部材又は雌部材の他方が、相手側部材へ向けて進退自在に保持されていると共に、この進退する方の部材は、相手側部材に対して被取付ボードを介して係合し得る位置を含んでそこから遠ざかる方向へ向けて弾性力により付勢されているものとするのが好ましい。この弾性力付与手段として、バネや樹脂材を用いることが出来る。
このような構成とすることで、被取付ボードが肉厚方向において膨張や収縮を起こすようなことがあっても、両プレートの結合間隔もこれに柔軟に追従することになる。
【００１３】
従って、被取付ボードに対してプレートの取付状態にガタが発生したり、クラックが発生したりすることはない。
また、取付ボードの肉厚寸法に対してある程度の汎用性を持たせることができる。
言うまでもなく、プレートは、ドアハンドルの取付座として採用することができる。この場合、引き戸装置にも適用できる。
【００１４】
【発明の実施の形態】
以下、本発明の実施の形態を、図面に基づき説明する。
図１〜図２１は、本発明に係る組プレート取付装置１の第１実施形態を示している。
図１及び図２に示すように、本第１実施形態の組プレート取付装置１は、揺動開閉するドア等の被取付ボード２に対して、その開閉用のドアハンドル３を取り付けるための取付座として設けられたものを示している。
【００１５】
この組プレート取付装置１は、被取付ボード２を挟んで対称配置で取り付けられる一対のプレート５，６に対し、その一方のプレート５に設けられる雄部材７と、他方のプレート６に設けられる雌部材８とを有している。図２に示すように、プレート５にカバー体５ａが外嵌固着され、プレート６にカバー体６ａが外嵌固着されている。
図５及び図６に示すように、雄部材７は、雌部材８へ向けて突出する本体軸部１２と、この本体軸部１２の突端部からその軸心に直交する向きで相反方向へ張り出す一対の外爪部１３とを有している。また、これら両外爪部１３よりも更に軸方向先端側は先細り状に形成されている。
【００１６】
すなわち、この雄部材７を平面視すると（図５とおく）、その突端部は恰もヤジリ先端型を呈している状態にあり、その突端側（図５右側）から見て上記外爪部１３の奥側（図５左側）にはクビレ形状を伴った係合段部１４が形成され、この係合段部１４の奥側（即ち、クビレ部分）に首部１５が形成されていることになる。
また、この雄部材７を側面視（図６）した場合、上記の首部１５も先細り先端も外形輪郭としては現れておらず、それらの相当部分の両側面（図６では上下面になる）はストレートになっている。
【００１７】
一方、図９及び図１０に示すように、雌部材８は、雄部材７へ向けて二股状態で突出する本体軸部２０と、この本体軸部２０の突端部で相対向して張り出す一対の内爪部２１と、本体軸部２０の基端部に設けられた回動操作部２２とを有している。
すなわち、この雌部材８を平面視すると（図９とおく）、各内爪部２１は返し爪状を呈しており、その突端側（図９左側）から見て上記内爪部１３の奥側（図９右側）にはクビレ形状を伴った係合段部２３が形成されていることになる。
【００１８】
勿論、両内爪部２１の相互間（股間）は上下方向に貫通しており、この雌部材８の両側面はストレートになっている。
この内爪部２１が形成された部分の対向間隔は、雄部材７における首部１５の太さと同等又はそれ以下に形成されており、且つ、これら両内爪部２１は、互いの対向間隔を拡縮する方向で若干の弾性変形が可能になっている。
また、この雌部材８において突端から股間までの軸方向深さは、この股間部分へ雄部材７を挿入したときに、雄部材７の係合段部１４と雌部材８の係合段部２３とを合致させたうえで雄部材７のそれより突端側を収容できる寸法とされている。
【００１９】
このようなことから、雄部材７と雌部材８とをそれらの軸方向を一致させつつ相互接近方向へ押し込むと、雄部材７の各外爪部１３が雌部材８の両内爪部２１に対してその股間を押し開くように擦過し、やがて雄部材７の係合段部１４と雌部材８の係合段部２３とが合致する位置で雌部材８の内爪部２１がもとの相互間隔に弾性復帰することになり、結果として、両側の内爪部２１が両側の外爪部１３を抱き込むようなかたちで係合可能となる（図２参照）。
そして、一旦、この係合状態となった後は、雄部材７と雌部材８とはそれらの軸方向に沿って離反させようとしても、離反不可能な状態に係合することになる。
【００２０】
この雌部材８において本体軸部２０には止め輪２５（図２にのみ示す）を嵌め付けるための嵌着溝２６が設けられており、少なくともこの嵌着溝２６よりも回動操作部２２側は、プレート６に設けられた装着孔２８を突き抜けた状態で回動自在にするための回動支持部３０として、断面円形に形成されている。
すなわち、この雌部材８はプレート６に対して回動自在になっている。
そして、嵌着溝２６に嵌め付けられる止め輪２５は、装着孔２８からこの雌部材８が脱出するのを阻止するための抜け止め輪として作用することになる。
【００２１】
なお、本発明においては、前記止め輪２５に限定されるものではない。
回動操作部２２は、本体軸部２０の回動支持部３０より一回り径大に形成されており、この回動操作部２２の後端面（図９及び図１０の右側端面）には、その径方向へ通り抜ける溝型をした工具係合凹部３１が形成されている。
この工具係合凹部３１は、マイナスドライバー等の工具（図示略）の差し込みを可能にしたもので、この雌部材８の回動時に、工具によって容易に操作できるようにしてある。
【００２２】
なお、この工具係合凹部３１は、十文字状の凹部としたり六角形や四角形の凹部としたり、或いは六角形や四角形の凸部としたりして、それらに適合する工具を特定するようにしてもよいが、図示したような溝型であれば、硬貨等を用いて雌部材８を回動させることもできるようになり、好適な例であるといえる。
このようなことから明らかなように、雌部材８が雄部材７と係合している状態（図２参照）から雌部材８だけを９０°回動させると、内爪部２１は雄部材７の首部１５のまわりを１／４周して雄部材７におけるストレートな外面に当接することになる。
【００２３】
そのため、上記係合は解除され、これら雄部材７と雌部材８とはその軸方向において係合する部分が何もない状態となるので、相互に軸方向へ離反させようとすれば簡単に離反させることができる。
図１１〜図１４に示すように、本第１実施形態において、上記雄部材７はプレート５に対して別体に構成されて、着脱自在に取付られている。
この雄部材７を具備するプレート５には、ドアハンドル３のハンドル基部４０やハンドル軸４１等（図１参照）を通す第１逃げ孔４２と、ドアロック装置のロック軸（いずれも図示略）を通す第２逃げ孔４３とが設けられている。
【００２４】
また、被取付ボード２に対する回り止め作用や位置決め作用を生じさせるために、被取付ボード２に設ける嵌合孔４４へ嵌め付ける嵌合突起４５が設けられている。
また、図１６〜図１９に示すように、上記雌部材８はプレート６に対して別体であり、従ってこのプレート６には、雌部材８を取り付けるための装着孔２８が設けられている。
この装着孔２８は、雌部材８の回動操作部２２を回動自在に収容した状態で、この回動操作部２２を軸方向移動自在に保持する大径孔部５０と、雌部材８の回動支持部３０を回動自在で軸移動自在に保持する小径孔部５１とを有した段付き孔となっている。
【００２５】
大径孔部５０は、雌部材８の回動支持部３０に外挿されるコイルバネ等のバネ５２（図２にのみ示す）をも収容して、このバネ５２が軸方向に伸縮し得るだけの深さ寸法を含んでいる。
このようなことから、雌部材８は雄部材７へ向けて進退自在であって、雄部材７と係合状態とされない限りは、バネ５２によって雄部材７から遠ざかる方向へ向けてバネ付勢されていることになる。
なお、この雌部材８を具備するプレート６も、ドアハンドル３のハンドル基部４０やハンドル軸４１等（図１参照）を通す第１逃げ孔５５と、ドアロック装置のロック軸（いずれも図示略）を通す第２逃げ孔５６と、被取付ボード２の嵌合孔４４へ嵌め付ける嵌合突起５７とが設けられている。
【００２６】
また勿論、これら両プレート５，６が被取付ボード２を挟んで対称配置で取り付けられる状態下にあって、雄部材７と雌部材８とは、互いに対向し合う位置付けになっている。
このような組プレート取付装置１の取付相手となる被取付ボード２は、雄部材７と雌部材８との結合部に対応する貫通孔６０、両プレート５，６の第１逃げ孔４２，５５に対応する第１孔６１（ドアハンドル３のハンドル基部４０やハンドル軸４１等を通す）、両プレート５，６の第２孔４３，５６に対応する第２逃げ孔６２（ドアロック装置のロック軸を通す孔）、両プレート５，６の嵌合突起５７を嵌め付け可能にする嵌合孔４４が設けられたものとなっており、これら各孔と所定位置関係で適宜錠装置（図示略）が組み込まれたものとなっている。
【００２７】
前記雄部材７は、対応するプレート５に、図２０又は図２１に示す突出長さの異なる他の雄部材７と交換可能になるように、着脱自在に取り付けられている。
即ち、図２〜図８に示すように、雄部材７の基端側に、挿通軸部７１が設けられると共に、挿通軸部７１から外周方向に突出した係合部７２が設けられ、係合部７２は、挿通軸７１の径方向に対応して一対配置されている。これら一対の各係合部７２に、回り止め用の係合突部７３が径方向外方に突設されている。
また、図２、図１１、図１３及び図１５に示すように、プレート５に、前記挿通軸部７１が挿入される挿通孔７５が設けられると共に、挿通孔７５の外周に、前記係合部７２が挿通可能な挿通溝７６と、前記係合部７２を係止する係止部７７とが、設けられている。挿通溝７６は挿通孔７５に連通するように挿通孔７５の径方向外方に一対配置されている。一対の挿通溝７６間に、係止部７７が一対配置され、プレート５の係止部７７の表面側に一対の係止溝７９が設けられ、各係止溝７９は挿通溝７６に連通されており、係合部７２が挿通溝７６から係止溝７９内に嵌合することにより、挿通軸部７１が挿通孔７５からプレート５の裏面側へ抜け脱不能になるように、係止部７７は係合部７２をプレート５の表面側に係止するようになっている。
【００２８】
従って、係合部７２を挿通溝７６に一致させて挿通軸部７１を挿通孔７５に挿通し、雄部材７を、挿通軸部７１廻りに９０度回動して、係合部７２を係止溝７９に嵌合することにより、係合部７２を係止部７７に係止させることができ、これにより、前記雄部材７が、対応するプレート５に、着脱自在に取り付けられるように構成されている。一対の各係止溝７９に、前記係合凸部７３に対応する係止凹部７８が径方向外方に没入形成されている。
そして、本実施の形態における組プレート取付装置には、図５〜図８に示す雄部材７の他に、図２０又は図２１に示す他の雄部材７が備えられている。この図２０又は図２１に示す雄部材７は、軸本体１２の長さがそれぞれ異なるのみで、その他の構成は図５〜図８に示す雄部材７の構成と同様の構成である。従って、図５〜図８に示す雄部材７、図２０に示す雄部材７及び図２１に示す雄部材７は、突出長さがそれぞれ異なっている（順次長くなっている）。
【００２９】
以上の説明から明らかなように、本発明に係る組プレート取付装置１では、雄部材７を具備する方のプレート５と、雌部材８を具備する方のプレート６とを、被取付ボード２を中央に挟んだ状態で、相互接近方向へ押し込むようにするだけで、これら雄部材７と雌部材８との係合によって互いに結合できるものであり、勿論、被取付ボード２に対する取り付け及び固定も完了できるものである。
また、被取付ボード２から各プレート５，６を取り外す必要が生じた場合には、雌部材８の回動操作部３１へマイナスドライバ等の工具や硬貨等を差し込んで回動させるようにするだけで、上記雄部材７と雌部材８との係合を解除して離反できる。
【００３０】
すなわち、これによって被取付ボード２からプレート５，６を外すことができるものである。
また、経年変化として被取付ボード２に肉厚方向の膨張や収縮が起こったとしても、雌部材８がバネ５２によって軸方向に付勢されていることから、これら雄部材７と雌部材８との係合状態に何ら無理な力やガタツキは生じないことになる。
従って、被取付ボード２に対する各プレート５，６の取付状態にガタが発生したり、クラックが発生したりすることもなくなる。
【００３１】
そして、雄部材７をプレート５に取り付けるには、図３及び図４に鎖線で示す如く、雄部材７の係合部７２をプレート５の挿通溝７６に一致させて、雄部材７の挿通軸部７１をプレート５の裏面側から挿通孔７５に挿通し、その後、図３及び図４に示すように、雄部材７を、挿通軸部７１廻りにａ方向に９０度回動することにより、係合部７２が、係止溝７９に嵌合して係止部７７にプレート５の表面側から係合し、このとき、各係合部７２の係合凸部７３が各係止溝７９の係止凹部７８に係合して、雄部材７をプレート５に対して回り止めし、これにより、雄部材７を、対応するプレート５に、簡単に確実に取り付けることができる。
【００３２】
また、雄部材７をプレート５から取り外すには、図３及び図４に実線で示す状態から、雄部材７を、挿通軸部７１廻りにｂ方向に９０度回動して、雄部材７の係合部７２を図３及び図４に鎖線で示す如くプレート５の挿通溝７６に一致させて、雄部材７をプレート５の裏面側に引っ張って、雄部材７の挿通軸部７１を挿通孔７５からプレート５の裏面側に抜き取ればよく、雄部材７をプレート５から簡単に取り外すことができる。
従って、プレート５に対して、突出長さの異なる他の雄部材７と容易に交換でき、被取付ボード２の肉厚寸法に合わせて、一対のプレート５、６の離間幅を調整することができるので、組プレートを被取付ボード２の肉厚寸法に対して十分な汎用性を持たせることが可能になる。
【００３３】
図２２は、本発明に係る組プレート取付装置１の第２実施形態を示している。
この第２実施形態が上記した第１実施形態と異なるところは、雌部材８がプレート５に対して着脱自在に取り付けられ、これに対して雄部材７の方がプレート６に対して回動自在であると共に、バネ５２によって軸方向にバネ付勢されている点にある。
そして、これに伴って、雄部材７の基端部にはその本体軸部１２よりも一回り径大な回動操作部２２が設けられている。また、雌部材８の基端側に、挿通軸部７１が設けられると共に、挿通軸部７１から外周方向に突出した係合部７２が設けられ、係合部７２は、挿通軸７１の径方向に対応して一対配置されている。これら一対の各係合部７２に、回り止め用の係合凸部７３が径方向外方に突設されている。
【００３４】
また、本実施の形態における組プレート取付装置には、図２２に示す雌部材８の他に、突出長さがそれぞれ異なっている図示省略の他の雌部材８が備えられている。
ところで、本発明は、上記した各実施形態に限定されるものではなく、実施の形態に応じて適宜変更可能である。
例えば、雄部材７や雌部材８の材質は何ら限定されるものではなく、樹脂製や金属製等とすることができる。
【００３５】
また、プレート５の上下両側へ雄部材７を、またプレート６の上下両側へ雌部材８を、それぞれ設けるようにしてもよい。
なお、被取付ボード２については、その構造や大きさ、材質、用途等に関して、何ら限定されるものではない。従って、被取付ボード２がドアであるか否かについても、限定されるものではない。
また、前記実施の形態では、プレート５にカバー体５ａが外嵌固着され、プレート６にカバー体６ａが外嵌固着されているが、これらカバー体５ａ，６ａを省略するようにしてもよい。
【００３６】
【発明の効果】
以上の説明から明らかなように、本発明に係る組プレート取付装置では、一方のプレートに設けられる雄部材と、他方のプレートに設けられる雌部材とを相互接近方向へ押し込むだけで互いに係合でき、またこの係合状態から一方の部材を回動させるだけで上記係合を解除して離反できるので、被取付ボードに対する着脱が極めて簡単且つ迅速に可能に行える。
また、少なくとも一方の部材を相手側部材から遠ざかる方向へバネ付勢すれば、被取付ボードが肉厚方向において膨張や収縮を起こしてもこれに柔軟に追従でき、プレートの取付状態にガタが発生したり、クラックが発生したりすることはなくなる。
【００３７】
また、取付ボードの肉厚寸法に対して汎用性を持たせることができる。
【図面の簡単な説明】
【図１】本発明に係る組プレート取付装置の第１実施形態を示す分解斜視図である。
【図２】第１実施形態の組プレート取付装置における組み立て状態を示す平面断面図である。
【図３】図２のＡ−Ａ線断面図である。
【図４】図２のＢ−Ｂ線断面図である。
【図５】第１実施形態で採用された雄部材を示した平面図である。
【図６】図５に対応する正面図である。
【図７】図５に対応する左側面図である。
【図８】図５に対応する右側面図である。
【図９】第１実施形態で採用された雌部材を示した平面図である。
【図１０】図９に対応する正面図である。
【図１１】第１実施形態で採用された雄部材側のプレートを示した正面（表面）図である。
【図１２】同プレートの平面図である。
【図１３】同プレートの背面（裏面）図である。
【図１４】同プレートの側面図である。
【図１５】同プレートの挿通孔部分の拡大背面図である。
【図１６】第１実施形態で採用された雌部材側のプレートを示した正面（表面）図である。
【図１７】同プレートの平面図である。
【図１８】同プレートの背面（裏面）図である。
【図１９】同プレートの側面図である。
【図２０】第１実施形態で採用された他の雄部材を示す平面図である。
【図２１】第１実施形態で採用された他の雄部材を示す平面図である。
【図２２】第２実施形態の組プレート取付装置における組み立て状態を示す平面断面図である。
【符号の説明】
１　　組プレート取付装置
２　　被取付ボード
３　　ドアハンドル
５　　プレート
６　　プレート
７　　雄部材
８　　雌部材
１２　　雄部材の本体軸部
１３　　外爪部
２０　　雌部材の本体軸部
２１　　内爪部
７１　　挿通軸部
７２　　係合部
７５　　挿通孔
７６　　挿通溝
７７　　係止部
【図１】
2004092061.tif 000003
【図２】
2004092061.tif 000004
【図３】
2004092061.tif 000005
【図４】
2004092061.tif 000006
【図５】
2004092061.tif 000007
【図６】
2004092061.tif 000008
【図７】
2004092061.tif 000009
【図８】
2004092061.tif 000010
【図９】
2004092061.tif 000011
【図１０】
2004092061.tif 000012
【図１１】
2004092061.tif 000013
【図１２】
2004092061.tif 000014
【図１３】
2004092061.tif 000015
【図１４】
2004092061.tif 000016
【図１５】
2004092061.tif 000017
【図１６】
2004092061.tif 000018
【図１７】
2004092061.tif 000019
【図１８】
2004092061.tif 000020
【図１９】
2004092061.tif 000021
【図２０】
2004092061.tif 000022
【図２１】
2004092061.tif 000023
【図２２】
2004092061.tif 000024